(57)【要約】【課題】二階建て住宅の二階において、一方の建物内部に屋外空間が入り込んで一体的に見えるよう構成されると共に、一方の建物内部に屋外空間を介して他方の建物内部が入り込んで一体的に見えるように構成される住宅の提供。【解決手段】二階建て住宅１の二階は、第一上階建物１３および第二上階建物１５を有している。第一上階建物１３の床部と第二上階建物１５の床部とは、上階屋外床部２６を挟んで設けられる。第一上階建物１３の天井部と第二上階建物１５の天井部とは、上階屋外天井部２８を挟んで設けられる。この際、両上階建物１３，１５の床面２９，３０および上階屋外床部２６の床面２５が面一とされ、両上階建物１３，１５の天井面３１，３２および上階屋外天井部２８の天井面２７が面一とされる。第一上階建物１３の壁体１２と第二上階建物１５の壁体１４とは、互いに対向する壁体同士が透明板から形成されている。【選択図】図４
2020070598.tif 000002
【特許請求の範囲】
【請求項１】
二階建ての住宅であって、
前記住宅の二階は、周囲を囲む壁体を有する第一上階建物と、周囲を囲む壁体を有して前記第一上階建物と間隔をあけて配置される第二上階建物とを有し、
前記間隔に配置されて床面が屋外に露出される上階屋外床部を挟んで、前記第一上階建物の床部と前記第二上階建物の床部とが設けられ、前記間隔に配置されて天井面が屋外に露出される上階屋外天井部を挟んで、前記第一上階建物の天井部と前記第二上階建物の天井部とが設けられており、
前記第一上階建物の壁体の内、前記上階屋外床部に面して前記第二上階建物に対向する壁体、および前記第二上階建物の壁体の内、前記上階屋外床部に面して前記第一上階建物に対向する壁体はそれぞれ、透明板から形成され、
前記第一上階建物の床面、前記第二上階建物の床面および前記上階屋外床部の床面が面一とされると共に、前記第一上階建物の天井面、前記第二上階建物の天井面および前記上階屋外天井部の天井面が面一とされる
ことを特徴とする住宅。
【請求項２】
前記第一上階建物の前記透明板から形成された壁体には、前記第一上階建物と前記上階屋外床部との間を行き来可能とする出入口が設けられ、前記第二上階建物の前記透明板から形成された壁体には、前記第二上階建物と前記上階屋外床部との間を行き来可能とする出入口が設けられる
ことを特徴とする請求項１に記載の住宅。
【請求項３】
一階の床部と前記第一上階建物の床部との間に第一階段が設けられると共に、一階の床部と前記第二上階建物の床部との間に第二階段が設けられる
ことを特徴とする請求項１または請求項２に記載の住宅。
【請求項４】
前記住宅の一階は、
周囲を囲む壁体を有し、前記第一上階建物の下方に配置される第一下階建物と、
周囲を囲む壁体を有し、前記第二上階建物の下方に配置される第二下階建物と、
前記第一下階建物と前記第二下階建物との間で両建物同士を接続し、両建物間を行き来可能とする往来部とを有し、
前記第一下階建物の床部と前記第一上階建物の床部との間に前記第一階段が設けられると共に、前記第二下階建物の床部と前記第二上階建物の床部との間に前記第二階段が設けられており、
前記往来部は、前記第一下階建物と前記第二下階建物との間を行き来可能な通路を形成するように、前記第一下階建物と前記第二下階建物との間に互いに間隔をあけて配置される接続壁体を有し、一方の前記接続壁体には玄関扉が設けられ、他方の前記接続壁体が透明板から形成されており、
前記第一下階建物と前記第二下階建物との間の前記往来部を挟んで、床面が屋外に露出する第一下階屋外床部と床面が屋外に露出する第二下階屋外床部とが設けられ、前記上階屋外床部と前記第一下階屋外床部および前記第二下階屋外床部とが上下方向に互いに対応して配置される
ことを特徴とする請求項３に記載の住宅。
【発明の詳細な説明】
【技術分野】
【０００１】
本発明は、二階建ての住宅に関するものであり、特に、二階に互いに独立した居住空間を有する住宅に関するものである。
【背景技術】
【０００２】
本件出願人は、先に、下記特許文献１に開示された２階建て住宅を提案している。この２階建て住宅は、２階建て母屋と２階建て離れとからなり、２階建て母屋の２階層と２階建て離れの２階層との間にバルコニーが設けられている。従って、下記特許文献１に記載の２階建て住宅では、母屋の２階層と離れの２階層との間の往来は、バルコニーを介して短時間で行うことができる。
【先行技術文献】
【特許文献】
【０００３】
【特許文献１】特開平１０−１０２７９５号公報
【発明の概要】
【発明が解決しようとする課題】
【０００４】
しかしながら、従来の２階建て住宅は、母屋の２階層と離れの２階層との間を短時間で往来できるようにしたものであり、母屋の２階層から離れの２階層を見た場合の見え方、および離れの２階層から母屋の２階層を見た場合の見え方までも考慮した構成ではない。すなわち、母屋の２階層から離れの２階層を見た場合には、手前側にバルコニーが見えて、その奥側に離れの２階層の外壁が見えるだけであり、見え方に工夫がなされていない。また、離れの２階層には、バルコニーに面する壁に窓が設けられていないので、バルコニーおよび母屋の２階層を見ることすらできない。
【０００５】
本発明は、このような問題に鑑みてなされたものであり、その主たる目的は、二階建て住宅の二階に屋外空間を挟んで互いに対向する建物を有する場合、一方の建物内部から屋外空間を介して他方の建物内部を見た際に、一方の建物内部に屋外空間が入り込んで一体的に見えるよう構成されると共に、一方の建物内部に屋外空間を介して他方の建物内部が入り込んで一体的に見えるように構成される住宅を提供することにある。
【課題を解決するための手段】
【０００６】
上記目的を達成するための本発明に係る住宅は、二階建ての住宅であって、前記住宅の二階は、周囲を囲む壁体を有する第一上階建物と、周囲を囲む壁体を有して前記第一上階建物と間隔をあけて配置される第二上階建物とを有し、前記間隔に配置されて床面が屋外に露出される上階屋外床部を挟んで、前記第一上階建物の床部と前記第二上階建物の床部とが設けられ、前記間隔に配置されて天井面が屋外に露出される上階屋外天井部を挟んで、前記第一上階建物の天井部と前記第二上階建物の天井部とが設けられており、前記第一上階建物の壁体の内、前記上階屋外床部に面して前記第二上階建物に対向する壁体、および前記第二上階建物の壁体の内、前記上階屋外床部に面して前記第一上階建物に対向する壁体はそれぞれ、透明板から形成され、前記第一上階建物の床面、前記第二上階建物の床面および前記上階屋外床部の床面が面一とされると共に、前記第一上階建物の天井面、前記第二上階建物の天井面および前記上階屋外天井部の天井面が面一とされることを特徴とする。
【０００７】
また、本発明に係る住宅は、前記第一上階建物の前記透明板から形成された壁体には、前記第一上階建物と前記上階屋外床部との間を行き来可能とする出入口が設けられ、前記第二上階建物の前記透明板から形成された壁体には、前記第二上階建物と前記上階屋外床部との間を行き来可能とする出入口が設けられることを特徴とする。
【０００８】
また、本発明に係る住宅は、一階の床部と前記第一上階建物の床部との間に第一階段が設けられると共に、一階の床部と前記第二上階建物の床部との間に第二階段が設けられることを特徴とする。
【０００９】
さらに、本発明に係る住宅は、前記住宅の一階は、周囲を囲む壁体を有し、前記第一上階建物の下方に配置される第一下階建物と、周囲を囲む壁体を有し、前記第二上階建物の下方に配置される第二下階建物と、前記第一下階建物と前記第二下階建物との間で両建物同士を接続し、両建物間を行き来可能とする往来部とを有し、前記第一下階建物の床部と前記第一上階建物の床部との間に前記第一階段が設けられると共に、前記第二下階建物の床部と前記第二上階建物の床部との間に前記第二階段が設けられており、前記往来部は、前記第一下階建物と前記第二下階建物との間を行き来可能な通路を形成するように、前記第一下階建物と前記第二下階建物との間に互いに間隔をあけて配置される接続壁体を有し、一方の前記接続壁体には玄関扉が設けられ、他方の前記接続壁体が透明板から形成されており、前記第一下階建物と前記第二下階建物との間の前記往来部を挟んで、床面が屋外に露出する第一下階屋外床部と床面が屋外に露出する第二下階屋外床部とが設けられ、前記上階屋外床部と前記第一下階屋外床部および前記第二下階屋外床部とが上下方向に互いに対応して配置されることを特徴とする。
【発明の効果】
【００１０】
本発明に係る住宅によれば、第一上階建物、第二上階建物および上階屋外床部のそれぞれの床面が面一とされた状態で、第一上階建物の床部と第二上階建物の床部とが上階屋外床部を挟んで設けられると共に、第一上階建物、第二上階建物および上階屋外天井部のそれぞれの天井面が面一とされた状態で、第一上階建物の天井部と第二上階建物の天井部とが上階屋外天井部を挟んで設けられる。また、第一上階建物において上階屋外床部に面する壁体、および第二上階建物において上階屋外床部に面する壁体はそれぞれ、透明板から形成されている。従って、第一上階建物内部から第二上階建物内部を見た場合、上階屋外床部と上階屋外天井部との間に形成される屋外空間と第一上階建物内部とが一体的に見えると共に、第一上階建物内部と第二上階建物内部とが屋外空間を介して一体的に見える。また、第二上階建物内部から第一上階建物内部を見た場合、屋外空間と第二上階建物内部とが一体的に見えると共に、第一上階建物内部と第二上階建物内部とが屋外空間を介して一体的に見える。すなわち、第一上階建物と第二上階建物との独立性を確保しつつ、一体感を演出することができる。
【００１１】
また、本発明に係る住宅によれば、第一上階建物と上階屋外床部との間を行き来可能とする出入口が第一上階建物に設けられると共に、第二上階建物と上階屋外床部との間を行き来可能とする出入口が第二上階建物に設けられる。従って、上階屋外床部を通って、第一上階建物と第二上階建物との間を往来することができる。
【００１２】
また、本発明に係る住宅によれば、第一階段および第二階段が設けられるので、一階から第一上階建物に直接に行くことができると共に、一階から第二上階建物に直接に行くことができる。
【００１３】
さらに、本発明に係る住宅によれば、一階において、第一下階建物と第二下階建物とが一対の接続壁体を有する往来部にて接続されており、一方の接続壁体に玄関扉が設けられ、他方の接続壁体が透明板により形成されている。また、第一下階建物と第二下階建物との間には、往来部を挟んで第一下階屋外床部と第二下階屋外床部とが設けられており、両下階屋外床部と上階屋外床部とが上下に互いに対応して配置される。従って、玄関扉を開けた際に、住宅の一階から二階にかけて住宅を通り抜けるような空間を形成することができ、住宅の意匠性を向上させることができる。
【図面の簡単な説明】
【００１４】
【図１】本発明の住宅の一階の構成を示す間取り図であり、敷地に建てた状態を示している。
【図２】図１の住宅の二階の構成を示す間取り図である。
【図３】図１の住宅の屋上を示す概略平面図である。
【図４】図１の住宅の概略背面図であり、二階部分を断面にして示している。
【図５】図１の住宅において第二上階建物から第一上階建物を見た状態を示す概略斜視図である。
【発明を実施するための形態】
【００１５】
以下、本発明の住宅の具体的実施例を図面に基づいて詳細に説明する。
【００１６】
図１から図４は、本発明の住宅の一実施例を示す図であり、図１は住宅を敷地に建てた状態を示す一階の間取り図、図２は二階の間取り図、図３は屋上の概略平面図、図４は二階部分を断面にして示す概略背面図である。なお、図１〜図３の各図の紙面における上方向が北の方角を示し、下方向が南の方角を示している。本実施例の住宅１は、間口よりも奥行の長い敷地２の長手方向において、道路３側から見て手前側に住宅１とは異なる住宅４が配置された敷地２の奥側に配置される。ここでは、図１に示されるように、南北に細長い略矩形状で北側および東側に道路３，５が接している角地において、北側の道路３側から見て奥側に本実施例の住宅１が配置され、その手前側に本実施例の住宅１とは異なる住宅４が配置される場合について説明する。
【００１７】
敷地２の手前側に配置される住宅４は、二階建てで離れとして使用されるものである。この住宅４は、東側に南北方向へ沿うピロティ６を有しており、西側に寄せて配置される。住宅４から見て東側の敷地２には、北側の道路３から入ることができ、平面視略Ｌ字形状の塀７で東側および南側が囲まれた駐車場８が配置される。駐車場８から見て南側の敷地２には、略矩形状のたたき９を有する庭１０が配置される。この庭１０と住宅４との間には、南北方向へ沿って塀１１が配置される。
【００１８】
敷地２の奥側に配置される本実施例の住宅１は、二階建てであり、敷地２の手前側の住宅４よりも後に建てられたものである。まず、住宅１の二階について説明し、一階については後述する。図２に示されるように、本実施例の住宅１の二階は、周囲を囲む壁体１２を有する第一上階建物１３と、周囲を囲む壁体１４を有して第一上階建物１３と東西方向へ間隔をあけて配置される第二上階建物１５とを有している。
【００１９】
第一上階建物１３は、南北方向を長手方向とする平面視略長方形状に形成されており、内部の西側に、台所１６と食堂１７とが連続して配置されて一部屋に構成されたダイニングキッチン１８を有している。ダイニングキッチン１８は、南北方向を長手方向とする平面視略長方形状とされ、北側から順に食堂１７および台所１６が配置される。また、第一上階建物１３は、トイレ１９、収納空間２０、家事室２１、洗面所２２およびバスルーム２３を有している。トイレ１９は、ダイニングキッチン１８の北側端部において東側に隣接して配置されており、ダイニングキッチン１８から入室することができる。収納空間２０は、トイレ１９の南側に隣接して配置されると共に、ダイニングキッチン１８の東側に隣接して配置され、ダイニングキッチン１８から収容物を出し入れすることができる。家事室２１は、収納空間２０の南側に収納空間２０と間隔をあけて配置されると共に、ダイニングキッチン１８の東側に隣接して配置され、ダイニングキッチン１８から入室することができる。洗面所２２は、家事室２１の南側に隣接して配置されると共に、ダイニングキッチン１８よりも南側に配置され、ダイニングキッチン１８から家事室２１を通って入室することができる。バスルーム２３は、洗面所２２の東側に隣接して配置されると共に、ダイニングキッチン１８の南側に隣接して配置され、ダイニングキッチン１８から家事室２１および洗面所２２を通って入室することができる。
【００２０】
第二上階建物１５は、平面視略四角形状とされ、敷地２の長手方向において、第一上階建物１３よりも短く形成されている。すなわち、第二上階建物１５の南北方向の長さは、第一上階建物１３の南北方向の長さよりも短く形成されている。図示例では、第二上階建物１５は、リビング２４を有している。
【００２１】
第一上階建物１３と第二上階建物１５との間に形成される間隔には、床面２５が屋外に露出される上階屋外床部２６が配置され、この上階屋外床部２６を挟んで第一上階建物１３の床部と第二上階建物１５の床部とが設けられる。また、第一上階建物１３と第二上階建物１５との間の間隔には、天井面２７が屋外に露出される上階屋外天井部２８が配置され、この上階屋外天井部２８を挟んで第一上階建物１３の天井部と第二上階建物１５の天井部とが設けられる。図４に示されるように、上階屋外床部２６と上階屋外天井部２８とは、上階屋外床部２６の天井が上階屋外天井部２８となるように、上下方向に互いに対応して配置される。前述したように、第一上階建物１３および第二上階建物１５はそれぞれ、ダイニングキッチン１８およびリビング２４を有しているので、本実施例では、上階屋外床部２６を挟んでダイニングキッチン１８の床部とリビング２４の床部とが設けられ、上階屋外天井部２８を挟んでダイニングキッチン１８の天井部とリビング２４の天井部とが設けられる。
【００２２】
本実施例では、平面視略長方形状の第一上階建物１３と平面視略四角形状の第二上階建物１５とは、互いに東西方向へ離隔して配置されると共に、第二上階建物１５が第一上階建物１３の北側端部に対応するように配置される。このようにして配置される第一上階建物１３と第二上階建物１５との間に配置される上階屋外床部２６は、第一上階建物１３と第二上階建物１５との互いに対向する壁体１２，１４の間から第一上階建物１３の西側に沿って、南方向へ延出して形成されている。すなわち、上階屋外床部２６は、平面視略長方形状とされ、長手方向が南北方向へ沿って延出して形成されている。一方、上階屋外天井部２８は、上階屋外床部２６の天井であり、上階屋外床部２６に対応するようにして、南北方向へ沿って延出して形成されている。
【００２３】
ここで、第一上階建物１３の床面２９、第二上階建物１５の床面３０および上階屋外床部２６の床面２５は、面一に形成されている。本実施例では、第一上階建物１３の西側に配置されるダイニングキッチン１８の床面２９、第二上階建物１５のリビング２４の床面３０、および南北方向へ沿って延出する上階屋外床部２６の床面２５が面一に形成されている。また、第一上階建物１３の天井面３１、第二上階建物１５の天井面３２および上階屋外天井部２８の天井面２７は、面一に形成されている。本実施例では、第一上階建物１３のダイニングキッチン１８の天井面３１、第二上階建物１５のリビング２４の天井面３２および南北方向へ沿って延出する上階屋外天井部２８の天井面２７が面一に形成されている。なお、上階屋外床部２６の北側端部には、手摺３３が設けられる。
【００２４】
第一上階建物１３の周囲の壁体１２の内、上階屋外床部２６に面して第二上階建物１５に対向する壁体は、屋外から第一上階建物１３内を視認できると共に第一上階建物１３内から屋外を視認できるように、透明板３４から形成されている。また、第二上階建物１５の周囲の壁体１４の内、上階屋外床部２６に面して第一上階建物１３に対向する壁体は、屋外から第二上階建物１５内を視認できると共に第二上階建物１５内から屋外を視認できるように、透明板３５から形成されている。前述したように、第一上階建物１３と第二上階建物１５とは、第一上階建物１３が第二上階建物１５よりも南方向へ延出して配置される。従って、図２および図５に示されるように、第一上階建物１３の西側の壁体１２の内、北側端部に対応する部分が透明板３４により形成されている。また、第二上階建物１５の東側の壁体１４が透明板３５により形成されている。このようにして、第一上階建物１３と第二上階建物１５とは、互いに対向する壁体１２，１４同士が透明板３４，３５により形成されている。なお、本実施例では、第一上階建物１３および第二上階建物１５の透明板３４，３５はそれぞれ、透明なガラス板により形成されている。
【００２５】
第一上階建物１３および第二上階建物１５には、互いに対向する壁体１２，１４それぞれに、出入口３６，３７が設けられる。具体的には、第一上階建物１３の透明板３４から形成された壁体１２には、第一上階建物１３と上階屋外床部２６との間を行き来可能とする出入口３６が設けられる。一方、第二上階建物１５の透明板３５から形成された壁体１４には、第二上階建物１５と上階屋外床部２６との間を行き来可能とする出入口３７が設けられる。ここで、出入口３６，３７はそれぞれ、第一上階建物１３の東側の壁体１２の北側端部および第二上階建物１５の東側の壁体１４の北側端部に配置される。従って、第一上階建物１３に形成された出入口３６と第二上階建物１５に形成された出入口３７とは、東西方向に互いに対向して配置される。本実施例では、出入口３６，３７それぞれに開閉可能な扉３８，３９が設けられ、両扉３８，３９が透明板（たとえば透明なガラス板）により形成されている。
【００２６】
図２に示されるように、第一上階建物１３の西側の壁体１２には、透明板３４により形成される壁体よりも南側に、引き違い形式の窓４０，４０が隣接して設けられる。この窓４０を介して、第一上階建物１３と上階屋外床部２６とを行き来することができる。各窓４０は、たとえば、透明なガラス板からなる透明板により形成されている。また、前述したように上階屋外床部２６が第一上階建物１３に沿って設けられるので、第一上階建物１３のバスルーム２３の西側にも上階屋外床部２６が配置されることになる。上階屋外床部２６とバスルーム２３とを隔てる第一上階建物１３の壁体１２には、開閉可能な窓４１が設けられる。本実施例では、上階屋外床部２６は、バスルーム２３よりも南側へ延出して形成されている。これに加えて、第一上階建物１３の南側には、バスルーム２３および洗面所２２に隣接して物干し部４２が設けられる。この物干し部４２には、洗面所２２から行くことができる。上階屋外床部２６と物干し部４２とは、互いに連続して形成されており、一体的な床部が形成されている。このようにして形成された一体的な床部の屋外側には、手摺４３が連続して形成されている。さらに、第一上階建物１３の北側の壁体１２には、ダイニングキッチン１８と対応する箇所に窓４４が設けられる。
【００２７】
図３に示されるように、本実施例の住宅１は、屋上４５を有している。この屋上４５には、複数の透明板を有する囲いにより囲まれた空間４６が設けられる。この空間４６には、螺旋階段４７を介して、二階から上がることができる。螺旋階段４７は、二階のダイニングキッチン１８と屋上４５との間に設けられる。
【００２８】
次に、本実施例の住宅１の一階について説明する。図１に示されるように、住宅１の一階は、第一上階建物１３の下方に配置される第一下階建物４８と、第二上階建物１５の下方に配置される第二下階建物４９と、第一下階建物４８と第二下階建物４９とを行き来可能とする往来部５０とを有している。
【００２９】
第一下階建物４８は、周囲を囲む壁体５１を有し、南北方向を長手方向とする平面視略長方形状に形成されている。第一下階建物４８の内部の西側には、東西方向へ沿って設けられる廊下５２を挟んで、北側に来客をもてなす空間５３を有し、南側に廊下５２から入室することができる仕事部屋５４を有している。この仕事部屋５４は、南北方向を長手方向とする平面視略長方形状に形成されている。また、第一下階建物４８の内部には、三つの収納空間５５，５６，５７およびトイレ５８を有している。収納空間５５は、来客をもてなす空間５３の北側端部において東側に隣接して配置されており、来客をもてなす空間５３から収納物を出し入れすることができる。残りの収納空間５６，５７は、南北に隣接して配置され、それぞれが仕事部屋５４の東側に隣接して配置されており、仕事部屋５４から収納物を出し入れすることができる。トイレ５８は、来客をもてなす空間５３に隣接して配置される収納空間５５の南側に隣接して配置され、廊下５２から入室することができる。
【００３０】
第二下階建物４９は、周囲を囲む壁体５９を有し、平面視略四角形状に形成されている。この平面視略四角形状の第二下階建物４９は、敷地２の長手方向において、第一下階建物４８よりも短く形成されている。具体的には、第二下階建物４９の南北方向の長さは、第一下階建物４８の南北方向の長さよりも短く形成されている。本実施例では、第二下階建物４９は、寝室６０と廊下６１とを有している。寝室６０は、平面視略矩形状とされ、第二下階建物４９の西側に配置される。廊下６１は、寝室６０の東側に隣接して配置され、南北方向へ沿って設けられる。
【００３１】
往来部５０は、第一下階建物４８と第二下階建物４９との間で両建物４８，４９同士を接続して、両建物４８，４９間を行き来可能とするものである。往来部５０は、第一下階建物４８と第二下階建物４９との間に、南北方向に互いに間隔をあけて配置される接続壁体６２，６３を有している。往来部５０の北側に配置される一方の接続壁体６２および南側に配置される他方の接続壁体６３はそれぞれ、一端部が第一下階建物４８に接続されると共に、他端部が第二下階建物４９に接続される。従って、接続壁体６２，６３間に、第一下階建物４８と第二下階建物４９との間を行き来可能とする通路６４を形成することができる。この通路６４の上方には、上階屋外床部２６が配置される。通路６４を構成する北側の接続壁体６２には、住宅１の玄関扉６５が設けられる。また、通路６４を構成する南側の接続壁体６３は、通路６４から屋外を視認できるように、透明板（たとえば透明なガラス板）６６から形成されている。
【００３２】
図１に示されるように、平面視略長方形状の第一下階建物４８と平面視略四角形状の第二下階建物４９とは、互いに東西方向へ離隔して配置されると共に、第二下階建物４９が第一下階建物４８の北側端部に対応するように配置される。具体的には、第一下階建物４８と第二下階建物４９とは、第一下階建物４８の西側の壁体５１の北側端部と第二下階建物４９の東側の壁体５９とが互いに対向するようにして配置される。このようにして、住宅１の一階は、第一下階建物４８が第二下階建物４９よりも南側へ延出して形成されている。また、往来部５０は、第一下階建物４８と第二下階建物４９との間において、南側端部に形成されている。この際、往来部５０は、通路６４が第一下階建物４８の廊下５２と連通するように第一下階建物４８に接続されると共に、通路６４が第二下階建物４９の廊下６１と連通するように第二下階建物４９に接続される。
【００３３】
第一下階建物４８と第二下階建物４９との間の往来部５０を挟んで、床面６７が屋外に露出する第一下階屋外床部６８と床面６９が屋外に露出する第二下階屋外床部７０が設けられる。本実施例では、往来部５０の玄関扉６５が設けられる接続壁体６２の北側に第一下階屋外床部６８が配置され、往来部５０の透明板６６から形成される接続壁体６３の南側に第二下階屋外床部７０が配置されて、第一下階屋外床部６８と第二下階屋外床部７０とが南北方向に互いに対応して配置される。
【００３４】
図１に示すように第一下階建物４８と第二下階建物４９とが配置されるので、第一下階屋外床部６８は、南北方向へ延出して形成され、玄関扉６５へ導くための通路とされる。一方、第二下階屋外床部７０は、長手方向が南北方向へ沿う平面視略長方形状とされ、第一下階建物４８の西側に沿って南北方向へ延出して形成されている。ここで、上階屋外床部２６と第一下階屋外床部６８および第二下階屋外床部７０とは、上下方向に互いに対応して配置される。すなわち、南北方向へ沿って配置される第一下階屋外床部６８および第二下階屋外床部７０の上方に、南北方向へ沿って延出して形成される上階屋外床部２６が配置され、これにより、前出したように往来部５０の通路６４の上方に上階屋外床部２６が配置される。
【００３５】
前述したように住宅１が二階建てであるので、住宅１の一階と二階とを行き来可能とする階段が設けられる。本実施例では、第一下階建物４８の床部と第一上階建物１３の床部との間に第一階段７１が設けられ、第二下階建物４９の床部と第二上階建物１５の床部との間に第二階段７２が設けられる。第一階段７１は、第一下階建物４８の廊下５２と第一上階建物１３のダイニングキッチン１８とを接続する階段である。一方、第二階段７２は、第二下階建物４９の廊下６１と第二上階建物１５のリビング２４とを接続する階段である。
【００３６】
図１に示されるように、第一下階建物４８の仕事部屋５４の西側の壁体５１には、開閉可能な窓７３，７３が互いに隣接して形成されている。この窓７３を介して、第一下階建物４８と第二下階屋外床部７０との間を行き来することができる。各窓７３は、たとえば、透明なガラス板からなる透明板により形成されている。ここで、第一下階建物４８の仕事部屋５４の床面７４と第二下階屋外床部７０の床面６９とは面一とされる。また、仕事部屋５４の南側の壁体５１には、第一下階建物４８の南側に設けられる坪庭７５を眺めることができるように、窓７６が設けられる。坪庭７５の南側に東西方向へ沿うようにして、敷地２には、塀７７が設けられる。さらに、第一下階建物４８の来客をもてなす空間５３の北側の壁体５１には、窓７８が設けられる。この窓７８と対応するように第一下階建物４８の北側の敷地２には、手水鉢７９が設けられる。
【００３７】
ところで、図１に示されるように、本実施例の住宅１が建てられる敷地２には、第一下階建物４８の西側でかつ第二下階建物４９の南側に、中庭８０が形成されている。中庭８０の南側部分には、水盤８１が設けられており、この水盤８１内には平面視略四角形状のたたき８２が設けられる、たたき８２には、第二下階屋外床部７０から通路８３を介して渡ることができる。中庭８０の西側および南側を囲むようにして、敷地２には、平面視略Ｌ字形状の塀８４が設けられる。
【００３８】
第二下階建物４９および第二上階建物１５にはそれぞれ、中庭８０を眺めることができるように、窓が設けられる。第二下階建物４９には、南側の壁体５９に、東西方向へ互いに離隔して引き違い形式の窓８５が設けられる。この窓８５を介して、第二下階建物４９から中庭８０に降りることができる。一方、第二上階建物１５には、南側の壁体１４に、東西方向へ離隔して嵌め殺し窓８６が設けられる。また、第二下階建物４９および第二上階建物１５にはそれぞれ、西側の壁体５９，１４の南側端部に窓８７，８８が設けられると共に、北側の壁体５９，１４の東側端部に窓８９，９０が設けられる。前述したように第一下階建物４８の仕事部屋５４の西側には窓７３が設けられるので、仕事部屋５４から中庭８０を眺めることができる。仕事部屋５４の西側には、第二下階屋外床部７０が設けられ、この第二下階屋外床部７０から中庭８０に降りることができる。なお、第二下階建物４９の北側において、敷地２の西側端部には、南北方向へ沿って塀９１が設けられる。
【００３９】
本実施例の住宅１の場合、二階の床部分において、ダイニングキッチン１８の床部とリビング２４の床部とが上階屋外床部２６を挟んで設けられた状態で、ダイニングキッチン１８の床面２９、リビング２４の床面３０および上階屋外床部２６の床面２５が面一とされる。一方、二階の天井部分において、ダイニングキッチン１８の天井部とリビング２４の天井部とが上階屋外天井部２８を挟んで設けられた状態で、ダイニングキッチン１８の天井面３１、リビング２４の天井面３２および上階屋外天井部２８の天井面２７が面一とされる。ここで、ダイニングキッチン１８の壁体１２とリビング２４の壁体１４とにおいて、互いに対向する壁体１２，１４同士が透明板３４，３５により形成されている。従って、ダイニングキッチン１８からリビング２４を眺めた場合、上階屋外床部２６と上階屋外天井部２８との間に形成される屋外空間とダイニングキッチン１８とが連続した一つの空間のように見せることができ、さらに、ダイニングキッチン１８とリビング２４とが連続した空間のように見せることができる。これとは逆に、リビング２４からダイニングキッチン１８を眺めた場合、屋外空間とリビング２４とを一つの空間のように見せることができ、さらに、リビング２４とダイニングキッチン１８とが連続した空間のように見せることができる。
【００４０】
また、本実施例の住宅１の場合、前述した構成であるので、透明板３４，３５を介して、ダイニングキッチン１８およびリビング２４に光を取り入れることができる。また、本実施例の住宅１の場合、前述した構成であるので、二階にリビング２４を設けることができ、そのリビング２４を離れのような空間とすることができる。
【００４１】
また、本実施例の住宅１の場合、ダイニングキッチン１８の壁体１２およびリビング２４の壁体１４にそれぞれ出入口３６，３７が設けられる。従って、ダイニングキッチン１８と上階屋外床部２６との間およびリビング２４と上階屋外床部２６との間を行き来することができ、上階屋外床部２６を介してダイニングキッチン１８とリビング２４との間を行き来することができる。また、本実施例の住宅１の場合、一階とダイニングキッチン１８との間に第一階段７１が設けられると共に、一階とリビング２４との間に第二階段７２が設けられるので、一階から直接にダイニングキッチン１８またはリビング２４に行くことができる。
【００４２】
また、本実施例の住宅１の場合、第一下階建物４８と第二下階建物４９とを接続する往来部５０に玄関扉６５が設けられるので、屋外から玄関を介して第一下階建物４８または第二下階建物４９に入ることができる。また、本実施例の住宅１の場合、往来部５０を挟んで第一下階屋外床部６８と第二下階屋外床部７０とが設けられ、その上方に上階屋外床部２６が設けられる。従って、玄関扉６５を開いた際に、住宅１に南北方向へ沿って通り抜ける部分を形成することができ、これにより、住宅１が東西に分かれて独立しているように見せることができる。しかも、この際、屋外から住宅１内部の部屋などが見えることがない。また、本実施例の住宅１の場合、住宅１の北側に別途住宅４が建てられており、この住宅４には住宅１の南北に通り抜ける部分と対応するようにピロティ６が設けられる。従って、二つの住宅１，４が建てられた敷地２に、南北方向へ沿って通路が形成されているように見せることができる。さらに、本実施例の住宅１の場合、上階屋外床部２６から北側の道路３を挟んで向かい側に建てられた住宅を伺うことができる。たとえば、本実施例の住宅１に夫婦が住んでおり、向かいの住宅に夫または妻の両親が住んでいる場合、ダイニングキッチン１８とリビング２４との間を行き来する際に、上階屋外床部２６から両親の様子を確認することができる。
【００４３】
本発明の住宅は、前記実施例の構成に限らず、適宜変更可能である。たとえば、前記実施例では、一階が二つの建物を有していたが、一つの建物であってもよい。この場合、一階の適宜の床部と第一上階建物１３の床部との間に第一階段７１が設けられ、一階の適宜の床部と第二上階建物１５との間に第二階段７２が設けられる。また、住宅１の一階、第一上階建物１３および第二上階建物１５の間取りは適宜に変更可能である。
【産業上の利用可能性】
【００４４】
本発明の住宅は、二階部分に離れのような空間を有する二階建ての住宅に好適に適用される。
【符号の説明】
【００４５】
１  住宅
１２  壁体
１３  第一上階建物
１４  壁体
１５  第二上階建物
２５  床面
２６  上階屋外床部
２７  天井面
２８  上階屋外天井部
２９  床面
３０  床面
３１  天井面
３２  天井面
３４  透明板
３５  透明板
３６  出入口
３７  出入口
４８  第一下階建物
４９  第二下階建物
５０  往来部
５１  壁体
５９  壁体
６２  接続壁体
６３  接続壁体
６５  玄関扉
６６  透明板
６７  床面
６８  第一下階屋外床部
６９  床面
７０  第二下階屋外床部
７１  第一階段
７２  第二階段
【図１】
2020070598.tif 000003
【図２】
2020070598.tif 000004
【図３】
2020070598.tif 000005
【図４】
2020070598.tif 000006
【図５】
2020070598.tif 000007